(57)【要約】      （修正有）【課題】少ない点の測色によって、測色値（XYZ値）を得るためのRBG値を精度良く求める。【解決手段】三原色RGBを用いて表示を行うカラーモニタ1上に各色要素のみを最大の輝度で発光させることにより表示させた画像を測色器2にてそれぞれ測色する最大発光測色値取得工程と、前記各色要素のみを中間の輝度で発光させることにより測色する中間発光測色値取得工程と、取得された前記各最大発光測色値と各中間発光測色値とを用いて、入力信号値を取得する入力信号値取得工程と、前記入力信号値に基づいて表示させた画像を前記測色器にて測色し、実測測色値を取得する実測測色値取得工程と、目標測色値と実測測色値との差である測色値差を取得する測色値差取得工程と、取得された測色値差が所定範囲内であるか否かを判定する判定工程と、所定範囲内であると判定された場合には、前記入力信号値を、前記目標測色値を有する色を表示するための入力信号値とする。【選択図】図１
2008203099.tif 000002
【特許請求の範囲】
【請求項１】
三原色ＲＧＢを用いて表示を行うカラーモニタ上に所定の測色値を有する色を表示するための入力信号値を取得する入力信号値取得方法において、
前記カラーモニタ上に前記三原色ＲＧＢのうち各色要素のみを最大の輝度で発光させることにより表示させた画像を測色器にてそれぞれ測色し、各最大発光測色値を取得する最大発光測色値取得工程と、
前記カラーモニタ上に前記三原色ＲＧＢのうち各色要素のみを中間の輝度で発光させることにより表示させた画像を前記測色器にてそれぞれ測色し、各中間発光測色値を取得する中間発光測色値取得工程と、
前記最大発光測色値取得工程により取得された各最大発光測色値と、前記中間発光測色値取得工程により取得された各中間発光測色値とを用いて、目標となる目標測色値に対応する入力信号値を取得する入力信号値取得工程と、
前記カラーモニタ上に前記入力信号値取得工程により取得された入力信号値に基づいて表示させた画像を前記測色器にて測色し、実測測色値を取得する実測測色値取得工程と、
前記目標測色値と前記実測測色値取得工程により取得された実測測色値との測色値の差である測色値差を取得する測色値差取得工程と、
前記測色値差取得工程により取得された測色値差が所定範囲内であるか否かを判定する判定工程と、
前記判定工程により判定された結果、前記測色値差が所定範囲内であると判定された場合には、前記入力信号値取得工程により取得された入力信号値を、前記目標測色値を有する色を表示するための入力信号値として取得する入力信号値取得工程と、
を有することを特徴とする入力信号値取得方法。
【請求項２】
請求項１に記載の入力信号値取得方法において、
前記目標測色値を第一目標測色値、前記測色値差取得工程により取得された測色値差を第一測色値差とした時、前記判定工程により判定された結果、前記第一測色値差が所定範囲内でないと判定された場合には、前記第一測色値差と前記第一目標測色値とを用いることにより、前記第一目標測色値との間の測色値の差が第一測色値差である第二目標測色値を取得する目標測色値取得工程を更に有し、
前記入力信号値取得工程により取得された入力信号値を第一入力信号値とした時、前記入力信号値取得工程は、前記最大発光測色値取得工程により取得された各最大発光測色値と、前記中間発光測色値取得工程により取得された各中間発光測色値とを用いて、前記目標測色値取得工程により取得された第二目標測色値に対応する第二入力信号値を取得し、
前記実測測色値取得工程により取得された実測測色値を第一実測測色値とした時、前記実測測色値取得工程は、前記カラーモニタ上に前記入力信号値取得工程により取得された入力信号値に基づいて表示させた画像を前記測色器にて測色し、第二実測測色値を取得し、
前記測色値差取得工程は、前記第一目標測色値と前記実測測色値取得工程により取得された第二実測測色値との差である第二測色値差を取得し、
前記判定工程は、前記測色値差取得工程により取得された第二測色値差が所定範囲内であるか否かを判定し、
前記入力信号値取得工程は、前記判定工程により判定された結果、前記第二測色値差が所定範囲内であると判定された場合には、前記第二入力信号値を、前記第一目標測色値を有する色を表示するための入力信号値として取得することを特徴とする入力信号値取得方法。
【請求項３】
請求項２に記載の入力信号値取得方法において、
前記判定工程により判定された結果、前記第二測色値差が所定範囲外であると判定された場合には、前記第二測色値差が前記判定工程により前記所定範囲内であると判定されるように、前記目標測色値取得工程、前記入力信号値取得工程、前記実測測色値取得工程、前記測色値差取得工程、前記判定工程を繰り返すように制御を行う制御工程を更に有し、
前記判定工程により判定された結果、前記第二測色値差が所定範囲内であると判定された場合には、前記入力信号値取得工程は、前記制御工程により前記第二測色値差が前記判定工程により前記所定範囲内であると判定されるように繰り返し行われた前記目標測色値取得工程、前記入力信号値取得工程、前記実測測色値取得工程によって得られた前記第二入力信号値を、前記第一目標測色値を有する色を表示するための入力信号値として取得することを特徴とする入力信号値取得方法。
【請求項４】
請求項１乃至請求項３のいずれか一項に記載の入力信号値取得方法において、
前記目標測色値取得工程は、前記第一目標測色値から前記第一測色値差を減算、又は前記第一目標測色値に前記第一測色値差を加算することにより第二目標測色値を取得することを特徴とする入力信号値取得方法。
【請求項５】
請求項１乃至請求項４のいずれか一項に記載の入力信号値取得方法において、
前記第二目標測色値は、前記第一目標測色値とは異なる値であることを特徴とする入力信号値取得方法。
【請求項６】
請求項１乃至請求項５のいずれか一項に記載の入力信号値取得方法において、
前記目標測色値取得工程により目標測色値が取得された回数を測定する累積回数測定工程と、
前記累積回数測定工程により予め定められた累積回数を超えているか否かを判定する累積回数判定工程を更に有し、
前記累積回数判定工程により判定された結果、前記累積回数測定工程により測定された累積回数が、前記予め定められた累積回数を超えていると判定された場合には、前記入力信号値取得工程は、前記入力信号値取得工程により取得された前記第二入力信号値を、前記第一目標測色値を有する色を表示するための入力信号値として取得することを特徴とする入力信号値取得方法。
【請求項７】
請求項１に記載の入力信号値取得方法において、
前記入力信号値取得手段により取得された入力信号値が、カラーモニタによって表示できる最小値未満若しくは最大値以上の値であるか否かを判定する入力信号値判定工程を更に有し、
前記入力信号値判定工程により判定した結果、前記入力信号値がカラーモニタによって表示できる最小値未満若しくは最大値以上でないと判定された場合には、前記実測測色値取得工程は、前記カラーモニタ上に前記入力信号値取得工程により取得された入力信号値に基づいて表示させた画像を前記測色器にて測色し、実測測色値を取得することを特徴とする入力信号値取得方法。
【請求項８】
請求項２乃至請求項６のいずれか一項に記載の入力信号値取得方法において、
前記入力信号値取得手段により取得された第一入力信号値又は、第二入力信号値が、カラーモニタによって表示できる最小値未満若しくは最大値以上の値であるか否かを判定する入力信号値判定工程を更に有し、
前記入力信号値判定工程により判定した結果、第一入力信号値又は、前記第二入力信号値がカラーモニタによって表示できる最小値未満若しくは最大値以上でないと判定された場合には、前記実測測色値取得工程は、前記カラーモニタ上に前記入力信号値取得工程により取得された第一入力信号値又は、第二入力信号値に基づいて表示させた画像を前記測色器にて測色し、第一実測測色値又は、第二実測測色値を取得することを特徴とする入力信号値取得方法。
【請求項９】
請求項１乃至請求項８のいずれか一項に記載の入力信号取得方法を前記カラーモニタの白色点をキャリブレーションする場合、又は前記カラーモニタの階調再現特性をキャリブレーションする場合の少なくともいずれか一つに適用することを特徴とするカラーモニタのキャリブレーション方法。
【請求項１０】
請求項９に記載のカラーモニタのキャリブレーション方法においてカラーモニタのキャリブレーションを行った後にプロファイルを作成するプロファイル作成工程を有することを特徴とするプロファイル作成方法。
【請求項１１】
三原色ＲＧＢを用いて表示を行うカラーモニタ上に所定の測色値を有する色を表示するための入力信号値を取得する入力信号値取得システムであって、前記カラーモニタと情報の授受が可能に接続されたコンピュータを含む入力信号値取得システムにおいて、
前記コンピュータは、
前記カラーモニタ上に前記三原色ＲＧＢのうち各色要素のみを最大の輝度で発光させることにより表示させた画像を測色器にてそれぞれ測色し、各最大発光測色値を取得する最大発光測色値取得手段、
前記カラーモニタ上に前記三原色ＲＧＢのうち各色要素のみを中間の輝度で発光させることにより表示させた画像を前記測色器にてそれぞれ測色し、各中間発光測色値を取得する中間発光測色値取得手段、
前記最大発光測色値取得手段により取得された各最大発光測色値と、前記中間発光測色値取得手段により取得された各中間発光測色値とを用いて、目標となる目標測色値に対応する入力信号値を取得する入力信号値取得手段、
前記カラーモニタ上に前記入力信号値取得手段により取得された入力信号値に基づいて表示させた画像を前記測色器にて測色し、実測測色値を取得する実測測色値取得手段、
前記目標測色値と前記実測測色値取得手段により取得された実測測色値との測色値の差である測色値差を取得する測色値差取得手段、
前記測色値差取得手段により取得された測色値差が所定範囲内であるか否かを判定する判定手段、
前記判定手段により判定された結果、前記測色値差が所定範囲内であると判定された場合には、前記入力信号値取得工程により取得された入力信号値を、前記目標測色値を有する色を表示するための入力信号値として取得する入力信号値取得手段、
を有することを特徴とする入力信号値取得システム。
【請求項１２】
請求項１１に記載の入力信号値取得システムにおいて、
前記コンピュータは、
前記目標測色値を第一目標測色値、前記測色値差取得手段により取得された測色値差を第一測色値差とした時、前記判定手段により判定された結果、前記第一測色値差が所定範囲内でないと判定された場合には、前記第一測色値差と前記第一目標測色値とを用いることにより、前記第一目標測色値との間の測色値の差が第一測色値差である第二目標測色値を取得する目標測色値取得手段を更に有し、
前記入力信号値取得手段により取得された入力信号値を第一入力信号値とした時、前記入力信号値取得手段は、前記最大発光測色値取得手段により取得された各最大発光測色値と、前記中間発光測色値取得手段により取得された各中間発光測色値とを用いて、前記目標測色値取得手段により取得された第二目標測色値に対応する第二入力信号値を取得し、
前記実測測色値取得手段により取得された実測測色値を第一実測測色値とした時、前記実測測色値取得手段は、前記カラーモニタ上に前記入力信号値取得手段により取得された入力信号値に基づいて表示させた画像を前記測色器にて測色し、第二実測測色値を取得し、
前記測色値差取得手段は、前記第一目標測色値と前記実測測色値取得手段により取得された第二実測測色値との差である第二測色値差を取得し、
前記判定手段は、前記測色値差取得手段により取得された第二測色値差が所定範囲内であるか否かを判定し、
前記入力信号値取得手段は、前記判定手段により判定された結果、前記第二測色値差が所定範囲内であると判定された場合には、前記第二入力信号値を、前記第一目標測色値を有する色を表示するための入力信号値として取得することを特徴とする入力信号値取得システム。
【請求項１３】
請求項１２に記載の入力信号値取得システムにおいて、
前記コンピュータは、
前記判定手段により判定された結果、前記第二測色値差が所定範囲外であると判定された場合には、前記第二測色値差が前記判定手段により前記所定範囲内であると判定されるように、前記目標測色値取得手段、前記入力信号値取得手段、前記実測測色値取得手段、前記測色値差取得手段、前記判定手段を繰り返すように制御を行う制御手段を更に有し、
前記判定手段により判定された結果、前記第二測色値差が所定範囲内であると判定された場合には、前記入力信号値取得手段は、前記制御手段により前記第二測色値差が前記判定手段により前記所定範囲内であると判定されるように繰り返し行われた前記目標測色値取得手段、前記入力信号値取得手段、前記実測測色値取得手段によって得られた各前記第二入力信号値を、前記第一目標測色値を有する色を表示するための入力信号値として取得することを特徴とする入力信号値取得システム。
【請求項１４】
請求項１１乃至請求項１３のいずれか一項に記載の入力信号値取得システムにおいて、
前記目標測色値取得手段は、前記第一目標測色値から前記第一測色値差を減算、又は前記第一目標測色値に前記第一測色値差を加算することにより第二目標測色値を取得することを特徴とする入力信号値取得システム。
【請求項１５】
請求項１１乃至請求項１４のいずれか一項に記載の入力信号値取得システムにおいて、
前記第二目標測色値は、前記第一目標測色値とは異なる値であることを特徴とする入力信号値取得システム。
【請求項１６】
請求項１１乃至請求項１５のいずれか一項に記載の入力信号値取得システムにおいて、
前記コンピュータは、
前記目標測色値取得手段により目標測色値が取得された回数を測定する累積回数測定手段と、
前記累積回数測定手段により予め定められた累積回数を超えているか否かを判定する累積回数判定手段を更に有し、
前記累積回数判定手段により判定された結果、前記累積回数測定手段により測定された累積回数が、前記予め定められた累積回数を超えていると判定された場合には、前記入力信号値取得手段は、前記入力信号値取得手段により取得された前記第二入力信号値を、前記第一目標測色値を有する色を表示するための入力信号値として取得することを特徴とする入力信号値取得システム。
【請求項１７】
請求項１１に記載の入力信号値取得システムにおいて、
前記コンピュータは、
前記入力信号値取得手段により取得された入力信号値が、カラーモニタによって表示できる最小値未満若しくは最大値以上の値であるか否かを判定する入力信号値判定手段を更に有し、
前記入力信号値判定手段により判定した結果、前記入力信号値がカラーモニタによって表示できる最小値未満若しくは最大値以上でないと判定された場合には、前記実測測色値取得手段は、前記カラーモニタ上に前記入力信号値取得手段により取得された入力信号値に基づいて表示させた画像を前記測色器にて測色し、実測測色値を取得することを特徴とする入力信号値取得システム。
【請求項１８】
請求項１２乃至請求項１６のいずれか一項に記載の入力信号値取得システムにおいて、
前記コンピュータは、
前記入力信号値取得手段により取得された第一入力信号値又は、第二入力信号値が、カラーモニタによって表示できる最小値未満若しくは最大値以上の値であるか否かを判定する入力信号値判定手段を更に有し、
前記入力信号値判定手段により判定した結果、第一入力信号値又は、前記第二入力信号値がカラーモニタによって表示できる最小値未満若しくは最大値以上でないと判定された場合には、前記実測測色値取得手段は、前記カラーモニタ上に前記入力信号値取得手段により取得された第一入力信号値又は、第二入力信号値に基づいて表示させた画像を前記測色器にて測色し、第一実測測色値又は、第二実測測色値を取得することを特徴とする入力信号値取得システム。
【請求項１９】
請求項１１乃至請求項１８のいずれか一項に記載の入力信号取得システムを前記カラーモニタの白色点をキャリブレーションする場合、又は前記カラーモニタの階調再現特性をキャリブレーションする場合の少なくともいずれか一つに適用することを特徴とするカラーモニタのキャリブレーションシステム。
【請求項２０】
請求項１９に記載のカラーモニタのキャリブレーションシステムにおいてカラーモニタのキャリブレーションを行った後にプロファイルを作成するプロファイル作成手段を有することを特徴とするプロファイル作成システム。
【請求項２１】
コンピュータを、請求項１１乃至請求項１８のいずれか一項に記載の入力信号値取得システムとして機能させることを特徴とする入力信号値取得プログラム。
【請求項２２】
コンピュータを、請求項１９に記載のキャリブレーションシステムとして機能させることを特徴とするキャリブレーションプログラム。
【請求項２３】
コンピュータを、請求項２０に記載のプロファイル作成システムとして機能させることを特徴とするプロファイル作成プログラム。
【請求項２４】
印刷装置を用いてＣｙａｎ、Ｍａｇｅｎｔａ、Ｙｅｌｌｏｗのインキを塗布することにより表示を行う媒体上に所定の色濃度を有する色を表示するための入力信号値を取得する入力信号値取得方法において、
前記媒体上に前記Ｃｙａｎ、Ｍａｇｅｎｔａ、Ｙｅｌｌｏｗのうち各色要素のみを最大の濃度で発色させることにより表示させ、前記媒体を測色器にてそれぞれ測色し、各最大発色色濃度を取得する最大発色色濃度取得工程と、
前記媒体上に前記Ｃｙａｎ、Ｍａｇｅｎｔａ、Ｙｅｌｌｏｗのうち各色要素のみを中間の濃度で発色させることにより表示させ、前記媒体を前記測色器にてそれぞれ測色し、各中間発色色濃度を取得する中間発色色濃度取得工程と、
前記最大発色色濃度取得工程により取得された各最大発色色濃度と、前記中間発色色濃度取得工程により取得された各中間発色色濃度とを用いて、目標となる目標色濃度に対応する入力信号値を取得する入力信号値取得工程と、
前記入力信号値取得工程により取得された入力信号値に基づいて表示させた前記媒体を前記測色器にて測色し、実測色濃度を取得する実測色濃度取得工程と、
前記目標色濃度と前記実測色濃度取得工程により取得された実測色濃度との色濃度の差である色濃度差を取得する色濃度差取得工程と、
前記色濃度差取得工程により取得された色濃度差が所定範囲内であるか否かを判定する判定工程と、
前記判定工程により判定された結果、前記色濃度差が所定範囲内であると判定された場合には、前記入力信号値取得工程により取得された入力信号値を、前記目標色濃度を有する色を表示するための入力信号値として取得する入力信号値取得工程と、
を有することを特徴とする入力信号値取得方法。
【請求項２５】
請求項２４に記載の入力信号値取得方法において、
前記目標色濃度を第一目標色濃度、前記色濃度差取得工程により取得された色濃度差を第一色濃度差とした時、前記判定工程により判定された結果、前記第一色濃度差が所定範囲内でないと判定された場合には、前記第一色濃度差と前記第一目標色濃度とを用いることにより、前記第一目標色濃度との間の色濃度の差が第一色濃度差である第二目標色濃度を取得する目標色濃度取得工程を更に有し、
前記入力信号値取得工程により取得された入力信号値を第一入力信号値とした時、前記入力信号値取得工程は、前記最大発色色濃度取得工程により取得された各最大発色色濃度と、前記中間発色色濃度取得工程により取得された各中間発色色濃度とを用いて、前記目標色濃度取得工程により取得された第二目標色濃度に対応する第二入力信号値を取得し、
前記実測色濃度取得工程により取得された実測色濃度を第一実測色濃度とした時、前記実測色濃度取得工程は、前記入力信号値取得工程により取得された入力信号値に基づいて表示させた前記媒体を前記測色器にて測色し、第二実測色濃度を取得し、
前記色濃度差取得工程は、前記第一目標色濃度と前記実測色濃度取得工程により取得された第二実測色濃度色濃度との差である第二色濃度差を取得し、
前記判定工程は、前記色濃度差取得工程により取得された第二色濃度差が所定範囲内であるか否かを判定し、
前記入力信号値取得工程は、前記判定工程により判定された結果、前記第二色濃度差が所定範囲内であると判定された場合には、前記第二入力信号値を、前記第一目標色濃度を有する色を表示するための入力信号値として取得することを特徴とする入力信号値取得方法。
【請求項２６】
請求項２５に記載の入力信号値取得方法において、
前記判定工程により判定された結果、前記第二色濃度差が所定範囲外であると判定された場合には、前記第二色濃度差が前記判定工程により前記所定範囲内であると判定されるように、前記目標色濃度取得工程、前記入力信号値取得工程、前記実測色濃度取得工程、前記色濃度差取得工程、前記判定工程を繰り返すように制御を行う制御工程を更に有し、
前記判定工程により判定された結果、前記第二色濃度差が所定範囲内であると判定された場合には、前記入力信号値取得工程は、前記制御工程により前記第二色濃度差が前記判定工程により前記所定範囲内であると判定されるように繰り返し行われた前記目標色濃度取得工程、前記入力信号値取得工程、前記実測色濃度取得工程によって得られた前記第二入力信号値を、前記第一目標色濃度を有する色を表示するための入力信号値として取得することを特徴とする入力信号値取得方法。
【請求項２７】
請求項２４乃至請求項２６のいずれか一項に記載の入力信号値取得方法において、
前記目標色濃度取得工程は、前記第一目標色濃度から前記第一色濃度差を減算、又は前記第一目標色濃度に前記第一色濃度差を加算することにより第二目標色濃度を取得することを特徴とする入力信号値取得方法。
【請求項２８】
請求項２４乃至請求項２７のいずれか一項に記載の入力信号値取得方法において、
前記第二目標色濃度は、前記第一目標色濃度とは異なる値であることを特徴とする入力信号値取得方法。
【請求項２９】
請求項２４乃至請求項２８のいずれか一項に記載の入力信号値取得方法において、
前記目標色濃度取得工程により目標色濃度が取得された回数を測定する累積回数測定工程と、
前記累積回数測定工程により予め定められた累積回数を超えているか否かを判定する累積回数判定工程を更に有し、
前記累積回数判定工程により判定された結果、前記累積回数測定工程により測定された累積回数が、前記予め定められた累積回数を超えていると判定された場合には、前記入力信号値取得工程は、前記入力信号値取得工程により取得された前記第二入力信号値を、前記第一目標色濃度を有する色を表示するための入力信号値として取得することを特徴とする入力信号値取得方法。
【請求項３０】
請求項２４に記載の入力信号値取得方法において、
前記入力信号値取得手段により取得された入力信号値が、印刷装置によって表示できる最小値未満若しくは最大値以上の値であるか否かを判定する入力信号値判定工程を更に有し、
前記入力信号値判定工程により判定した結果、前記入力信号値が印刷装置によって表示できる最小値未満若しくは最大値以上でないと判定された場合には、前記実測色濃度取得工程は、前記入力信号値取得工程により取得された入力信号値に基づいて表示させた前記媒体を前記測色器にて測色し、実測色濃度を取得することを特徴とする入力信号値取得方法。
【請求項３１】
請求項２５乃至請求項２９のいずれか一項に記載の入力信号値取得方法において、
前記入力信号値取得手段により取得された第一入力信号値又は、第二入力信号値が、印刷装置によって表示できる最小値未満若しくは最大値以上の値であるか否かを判定する入力信号値判定工程を更に有し、
前記入力信号値判定工程により判定した結果、第一入力信号値又は、前記第二入力信号値が印刷装置によって表示できる最小値未満若しくは最大値以上でないと判定された場合には、前記実測色濃度取得工程は、前記入力信号値取得工程により取得された第一入力信号値又は、第二入力信号値に基づいて表示させた前記媒体を前記測色器にて測色し、第一実測色濃度又は、第二実測色濃度を取得することを特徴とする入力信号値取得方法。
【請求項３２】
印刷装置を用いてＣｙａｎ、Ｍａｇｅｎｔａ、Ｙｅｌｌｏｗのインキを塗布することにより表示を行う媒体上に所定の色濃度を有する色を表示するための入力信号値を取得する入力信号値取得システムであって、前記印刷装置と情報の授受が可能に接続されたコンピュータを含む入力信号値取得システムにおいて、
前記コンピュータは、
前記媒体上に前記三原色ＲＧＢのうち各色要素のみを最大の濃度で発色させることにより表示させ、前記媒体を測色器にてそれぞれ測色し、各最大発色色濃度を取得する最大発色色濃度取得手段、
前記媒体上に前記三原色ＲＧＢのうち各色要素のみを中間の濃度で発色させることにより表示させ、前記媒体を前記測色器にてそれぞれ測色し、各中間発色色濃度を取得する中間発色色濃度取得手段、
前記最大発色色濃度取得手段により取得された各最大発色色濃度と、前記中間発色色濃度取得手段により取得された各中間発色色濃度とを用いて、目標となる目標色濃度に対応する入力信号値を取得する入力信号値取得手段、
前記入力信号値取得手段により取得された入力信号値に基づいて表示させた前記媒体を前記測色器にて測色し、実測色濃度を取得する実測色濃度取得手段、
前記目標色濃度と前記実測色濃度取得手段により取得された実測色濃度との色濃度の差である色濃度差を取得する色濃度差取得手段、
前記色濃度差取得手段により取得された色濃度差が所定範囲内であるか否かを判定する判定手段、
前記判定手段により判定された結果、前記色濃度差が所定範囲内であると判定された場合には、前記入力信号値取得工程により取得された入力信号値を、前記目標色濃度を有する色を表示するための入力信号値として取得する入力信号値取得手段、
を有することを特徴とする入力信号値取得システム。
【請求項３３】
請求項３２に記載の入力信号値取得システムにおいて、
前記コンピュータは、
前記目標色濃度を第一目標色濃度、前記色濃度差取得手段により取得された色濃度差を第一色濃度差とした時、前記判定手段により判定された結果、前記第一色濃度差が所定範囲内でないと判定された場合には、前記第一色濃度差と前記第一目標色濃度とを用いることにより、前記第一目標色濃度との間の色濃度の差が第一色濃度差である第二目標色濃度を取得する目標色濃度取得手段を更に有し、
前記入力信号値取得手段により取得された入力信号値を第一入力信号値とした時、前記入力信号値取得手段は、前記最大発色色濃度取得手段により取得された各最大発色色濃度と、前記中間発色色濃度取得手段により取得された各中間発色色濃度とを用いて、前記目標色濃度取得手段により取得された第二目標色濃度に対応する第二入力信号値を取得し、
前記実測色濃度取得手段により取得された実測色濃度を第一実測色濃度とした時、前記実測色濃度取得手段は、前記入力信号値取得手段により取得された入力信号値に基づいて表示させた前記媒体を前記測色器にて測色し、第二実測色濃度を取得し、
前記色濃度差取得手段は、前記第一目標色濃度と前記実測色濃度取得手段により取得された第二実測色濃度色濃度との差である第二色濃度差を取得し、
前記判定手段は、前記色濃度差取得手段により取得された第二色濃度差が所定範囲内であるか否かを判定し、
前記入力信号値取得手段は、前記判定手段により判定された結果、前記第二色濃度差が所定範囲内であると判定された場合には、前記第二入力信号値を、前記第一目標色濃度を有する色を表示するための入力信号値として取得することを特徴とする入力信号値取得システム。
【請求項３４】
請求項３３に記載の入力信号値取得システムにおいて、
前記コンピュータは、
前記判定手段により判定された結果、前記第二色濃度差が所定範囲外であると判定された場合には、前記第二色濃度差が前記判定手段により前記所定範囲内であると判定されるように、前記目標色濃度取得手段、前記入力信号値取得手段、前記実測色濃度取得手段、前記色濃度差取得手段、前記判定手段を繰り返すように制御を行う制御手段を更に有し、
前記判定手段により判定された結果、前記第二色濃度差が所定範囲内であると判定された場合には、前記入力信号値取得手段は、前記制御手段により前記第二色濃度差が前記判定手段により前記所定範囲内であると判定されるように繰り返し行われた前記目標色濃度取得手段、前記入力信号値取得手段、前記実測色濃度取得手段によって得られた各前記第二入力信号値を、前記第一目標色濃度を有する色を表示するための入力信号値として取得することを特徴とする入力信号値取得システム。
【請求項３５】
請求項３２乃至請求項３４のいずれか一項に記載の入力信号値取得システムにおいて、
前記目標色濃度取得手段は、前記第一目標色濃度から前記第一色濃度差を減算、又は前記第一目標色濃度に前記第一色濃度差を加算することにより第二目標色濃度を取得することを特徴とする入力信号値取得システム。
【請求項３６】
請求項３２乃至請求項３５のいずれか一項に記載の入力信号値取得システムにおいて、
前記第二目標色濃度は、前記第一目標色濃度とは異なる値であることを特徴とする入力信号値取得システム。
【請求項３７】
請求項３２乃至請求項３６のいずれか一項に記載の入力信号値取得システムにおいて、
前記コンピュータは、
前記目標色濃度取得手段により目標色濃度が取得された回数を測定する累積回数測定手段と、
前記累積回数測定手段により予め定められた累積回数を超えているか否かを判定する累積回数判定手段を更に有し、
前記累積回数判定手段により判定された結果、前記累積回数測定手段により測定された累積回数が、前記予め定められた累積回数を超えていると判定された場合には、前記入力信号値取得手段は、前記入力信号値取得手段により取得された前記第二入力信号値を、前記第一目標色濃度を有する色を表示するための入力信号値として取得することを特徴とする入力信号値取得システム。
【請求項３８】
請求項３２に記載の入力信号値取得システムにおいて、
前記コンピュータは、
前記入力信号値取得手段により取得された入力信号値が、印刷装置によって表示できる最小値未満若しくは最大値以上の値であるか否かを判定する入力信号値判定手段を更に有し、
前記入力信号値判定手段により判定した結果、前記入力信号値が印刷装置によって表示できる最小値未満若しくは最大値以上でないと判定された場合には、前記実測色濃度取得手段は、前記入力信号値取得手段により取得された入力信号値に基づいて表示させた前記媒体を前記測色器にて測色し、実測色濃度を取得することを特徴とする入力信号値取得システム。
【請求項３９】
請求項３３乃至請求項３７のいずれか一項に記載の入力信号値取得システムにおいて、
前記コンピュータは、
前記入力信号値取得手段により取得された第一入力信号値又は、第二入力信号値が、印刷装置によって表示できる最小値未満若しくは最大値以上の値であるか否かを判定する入力信号値判定手段を更に有し、
前記入力信号値判定手段により判定した結果、第一入力信号値又は、前記第二入力信号値が印刷装置によって表示できる最小値未満若しくは最大値以上でないと判定された場合には、前記実測色濃度取得手段は、前記入力信号値取得手段により取得された第一入力信号値又は、第二入力信号値に基づいて表示させた前記媒体を前記測色器にて測色し、第一実測色濃度又は、第二実測色濃度を取得することを特徴とする入力信号値取得システム。
【請求項４０】
コンピュータを、請求項３２乃至請求項３９のいずれか一項に記載の入力信号値取得システムとして機能させることを特徴とする入力信号値取得プログラム。
【発明の詳細な説明】
【技術分野】
【０００１】
本発明は、入力信号取得方法等に関し、さらに具体的には、目標とする測色値（ＸＹＺ値）を有する色を表示するための入力信号値（ＲＧＢ値）を精度良く求めることができる入力信号取得方法等に関する。
【背景技術】
【０００２】
近年のデジタルカメラの普及や、カラーマネジメント技術の進歩により、モニタ上で画像を見る機会が増えてきている。モニタ上で正確に色を見るためには、モニタを所定の状態にキャリブレーションする必要がある。モニタを所定の状態にキャリブレーションするためには、階調再現特性と、白色点のキャリブレーションが必要であり、特に、この白色点のキャリブレーションが不正確であると、画像全体の色味が目標とする色とずれてしまうため、非常に重要である。このようなモニタのキャリブレーションを行うためには、モニタ上に所定の測色値（ＸＹＺ値）を持つ色を表示するための入力信号値（ＲＧＢ値）を得ることが必要となる。
【０００３】
ここで、例えば、モニタがＣＲＴモニタの場合、モニタ上に所定の測色値（ＸＹＺ値）を持つ色を表示するための入力信号値（ＲＧＢ値）を得るためには、
表示輝度：［Ｏｕｔ］、入力信号値［Ｉｎ］としたとき、
［Ｏｕｔ］＝［Ｉｎ］ｒ
となるガンマ特性が成立しており、
［全体の輝度］＝［Ｒｅｄの輝度］＋［Ｇｒｅｅｎの輝度］＋［Ｂｌｕｅの輝度］
となる加法混色も成立しているため、三原色Ｒ、Ｇ、Ｂそれぞれの最大発光と、中間発光の合計６点の測色を行えば、所定の測色値（ＸＹＺ値）を持つ色を表示するための入力信号値（ＲＧＢ値）を正確に求めることができる。
【特許文献１】特開２００５−９４４００号公報
【発明の開示】
【発明が解決しようとする課題】
【０００４】
しかしながら、モニタが液晶モニタの場合には、上述のような加法混色が成立していない場合が多く、更には、ガンマ特性も成立していない場合が多いため、上述のような手法（少ない点の測色によって目標とする測色値（ＸＹＺ値）を持つ色を表示するための入力信号値（ＲＧＢ値）を正確に求めること）によって、目標とする測色値を持つ色を表示するための入力信号値（ＲＧＢ値）を正確に求めることが困難である。また、上記の手法を適用すること自体は可能であるが、求めた値の精度が非常に悪くなる。
【０００５】
そこで、モニタが液晶モニタの場合、目標とする測色値を持つ色を表示するための入力信号値（ＲＧＢ値）を正確に求めるためには、プロファイルを作成し、当該プロファイルに記入された値を参照する手法がとられてきた。しかし、ガンマ特性、加法混色とともに成立していない液晶モニタに対して、精度の高いプロファイルを作成するためには、非常に多くの点の測色を行う必要があり、非常に時間と手間がかかっていた。
【０００６】
本発明は、このような問題に鑑みなされたものであり、少ない点の測色によって、目標とする測色値（ＸＹＺ値）を持つ色を表示するための入力信号値（ＲＧＢ値）を精度良く求めることができる入力信号取得方法等を提供することを目的とする。
【課題を解決するための手段】
【０００７】
上記課題を解決するための請求項１に記載の発明は、三原色ＲＧＢを用いて表示を行うカラーモニタ上に所定の測色値を有する色を表示するための入力信号値を取得する入力信号値取得方法において、前記カラーモニタ上に前記三原色ＲＧＢのうち各色要素のみを最大の輝度で発光させることにより表示させた画像を測色器にてそれぞれ測色し、各最大発光測色値を取得する最大発光測色値取得工程と、前記カラーモニタ上に前記三原色ＲＧＢのうち各色要素のみを中間の輝度で発光させることにより表示させた画像を前記測色器にてそれぞれ測色し、各中間発光測色値を取得する中間発光測色値取得工程と、前記最大発光測色値取得工程により取得された各最大発光測色値と、前記中間発光測色値取得工程により取得された各中間発光測色値とを用いて、目標となる目標測色値に対応する入力信号値を取得する入力信号値取得工程と、前記カラーモニタ上に前記入力信号値取得工程により取得された入力信号値に基づいて表示させた画像を前記測色器にて測色し、実測測色値を取得する実測測色値取得工程と、前記目標測色値と前記実測測色値取得工程により取得された実測測色値との測色値の差である測色値差を取得する測色値差取得工程と、前記測色値差取得工程により取得された測色値差が所定範囲内であるか否かを判定する判定工程と、前記判定工程により判定された結果、前記測色値差が所定範囲内であると判定された場合には、前記入力信号値取得工程により取得された入力信号値を、前記目標測色値を有する色を表示するための入力信号値として取得する入力信号値取得工程と、を有することを特徴とする。
【０００８】
これによれば、目標測色値と実測測色値取得工程により取得された実測測色値との測色値の差である測色値差を取得し、測色値差が所定範囲内であると判定された場合には、入力信号値取得工程により取得された入力信号値を、前記目標測色値を有する色を表示するための入力信号値として取得することによって、少ない点の測色によっても所定の測色値を有する色を表示するための入力信号値を精度良く取得することができる。
【０００９】
上記課題を解決するための請求項２に記載の発明は、請求項１に記載の入力信号値取得方法において、前記目標測色値を第一目標測色値、前記測色値差取得工程により取得された測色値差を第一測色値差とした時、前記判定工程により判定された結果、前記第一測色値差が所定範囲内でないと判定された場合には、前記第一測色値差と前記第一目標測色値とを用いることにより、前記第一目標測色値との間の測色値の差が第一測色値差である第二目標測色値を取得する目標測色値取得工程を更に有し、前記入力信号値取得工程により取得された入力信号値を第一入力信号値とした時、前記入力信号値取得工程は、前記最大発光測色値取得工程により取得された各最大発光測色値と、前記中間発光測色値取得工程により取得された各中間発光測色値とを用いて、前記目標測色値取得工程により取得された第二目標測色値に対応する第二入力信号値を取得し、前記実測測色値取得工程により取得された実測測色値を第一実測測色値とした時、前記実測測色値取得工程は、前記カラーモニタ上に前記入力信号値取得工程により取得された入力信号値に基づいて表示させた画像を前記測色器にて測色し、第二実測測色値を取得し、前記測色値差取得工程は、前記第一目標測色値と前記実測測色値取得工程により取得された第二実測測色値との差である第二測色値差を取得し、前記判定工程は、前記測色値差取得工程により取得された第二測色値差が所定範囲内であるか否かを判定し、前記入力信号値取得工程は、前記判定工程により判定された結果、前記第二測色値差が所定範囲内であると判定された場合には、前記第二入力信号値を、前記第一目標測色値を有する色を表示するための入力信号値として取得することを特徴とする。
【００１０】
これによれば、第一測色値差と第一目標測色値とを用いることにより、第一目標測色値との間の測色値の差が第一測色値差である第二目標測色値を取得し、当該第二目標測色値を用いて求めた入力信号値から実測測色値を取得することによって、第二入力信号値を所定の測色値を有する色を表示するための入力信号値として取得することによって、少ない点の測色によっても所定の測色値を有する色を表示するための入力信号値を精度良く取得することができる。
【００１１】
上記課題を解決するための請求項３に記載の発明は、請求項２に記載の入力信号値取得方法において、前記判定工程により判定された結果、前記第二測色値差が所定範囲外であると判定された場合には、前記第二測色値差が前記判定工程により前記所定範囲内であると判定されるように、前記目標測色値取得工程、前記入力信号値取得工程、前記実測測色値取得工程、前記測色値差取得工程、前記判定工程を繰り返すように制御を行う制御工程を更に有し、前記判定工程により判定された結果、前記第二測色値差が所定範囲内であると判定された場合には、前記入力信号値取得工程は、前記制御工程により前記第二測色値差が前記判定工程により前記所定範囲内であると判定されるように繰り返し行われた前記目標測色値取得工程、前記入力信号値取得工程、前記実測測色値取得工程によって得られた前記第二入力信号値を、前記第一目標測色値を有する色を表示するための入力信号値として取得することを特徴とする。
【００１２】
これによれば、制御工程により、第二測色値差が前記判定工程により所定範囲内であると判定されるように、目標測色値取得工程、入力信号値取得工程、実測測色値取得工程、測色値差取得工程、判定工程を繰り返すように制御を行い、制御工程により第二測色値差が判定工程により所定範囲内であると判定されるように繰り返し行われた目標測色値取得工程、入力信号値取得工程、実測測色値取得工程によって得られた第二入力信号値を所定の測色値を有する色を表示するための入力信号値として取得することによって、少ない点の測色によっても所定の測色値を有する色を表示するための入力信号値を精度良く取得することができる。
【００１３】
上記課題を解決するための請求項４に記載の発明は、請求項１乃至請求項３のいずれか一項に記載の入力信号値取得方法において、前記目標測色値取得工程は、前記第一目標測色値から前記第一測色値差を減算、又は前記第一目標測色値に前記第一測色値差を加算することにより第二目標測色値を取得することを特徴とする。
【００１４】
これによれば、第一目標測色値から第一測色値差を減算、又は前記第一目標測色値に第一測色値差を加算することにより第二目標測色値を取得することによって、
所定の測色値を有する色を表示するための入力信号値を取得するために用いる第二目標値を取得することができる。
【００１５】
上記課題を解決するための請求項５に記載の発明は、請求項１乃至請求項４のいずれか一項に記載の入力信号値取得方法において、前記第二目標測色値は、前記第一目標測色値とは異なる値であることを特徴とする。
【００１６】
これによれば、第二目標測色値が第一目標測色値とは異なる値であることによって、所定の測色値を有する色を表示するための入力信号値を取得するために用いる第二目標値を取得することができる。
【００１７】
上記課題を解決するための請求項６に記載の発明は、請求項１乃至請求項５のいずれか一項に記載の入力信号値取得方法において、前記目標測色値取得工程により目標測色値が取得された回数を測定する累積回数測定工程と、前記累積回数測定工程により予め定められた累積回数を超えているか否かを判定する累積回数判定工程を更に有し、前記累積回数判定工程により判定された結果、前記累積回数測定工程により測定された累積回数が、前記予め定められた累積回数を超えていると判定された場合には、前記入力信号値取得工程は、前記入力信号値取得工程により取得された前記第二入力信号値を、前記第一目標測色値を有する色を表示するための入力信号値として取得することを特徴とする。
【００１８】
これによれば、累積回数測定工程により測定された累積回数が、予め定められた累積回数を超えていると判定された場合には、プロファイル作成工程は、入力信号値取得工程により取得された入力信号値を所定の測色値を有する色を表示するための入力信号値を取得することによって、少ない点の測色によっても所定の測色値を有する色を表示するための入力信号値を精度良く取得することができる。
【００１９】
上記課題を解決するための請求項７に記載の発明は、請求項１に記載の入力信号値取得方法において、前記入力信号値取得手段により取得された入力信号値が、カラーモニタによって表示できる最小値未満若しくは最大値以上の値であるか否かを判定する入力信号値判定工程を更に有し、前記入力信号値判定工程により判定した結果、前記入力信号値がカラーモニタによって表示できる最小値未満若しくは最大値以上でないと判定された場合には、前記実測測色値取得工程は、前記カラーモニタ上に前記入力信号値取得工程により取得された入力信号値に基づいて表示させた画像を前記測色器にて測色し、実測測色値を取得することを特徴とする。
【００２０】
これによれば、入力信号値が表示装置によって表示できる最小値未満若しくは最大値以上であった場合には、所定の測色値を有する色を表示するための入力信号値を更に精度良く取得することができる。
【００２１】
上記課題を解決するための請求項８に記載の発明は、請求項２乃至請求項６のいずれか一項に記載の入力信号値取得方法において、前記入力信号値取得手段により取得された第一入力信号値又は、第二入力信号値が、カラーモニタによって表示できる最小値未満若しくは最大値以上の値であるか否かを判定する入力信号値判定工程を更に有し、前記入力信号値判定工程により判定した結果、第一入力信号値又は、前記第二入力信号値がカラーモニタによって表示できる最小値未満若しくは最大値以上でないと判定された場合には、前記実測測色値取得工程は、前記カラーモニタ上に前記入力信号値取得工程により取得された第一入力信号値又は、第二入力信号値に基づいて表示させた画像を前記測色器にて測色し、第一実測測色値又は、第二実測測色値を取得することを特徴とする。
【００２２】
これによれば、入力信号値が表示装置によって表示できる最小値未満若しくは最大値以上であった場合には、所定の測色値を有する色を表示するための入力信号値を更に精度良く取得することができる。
【００２３】
上記課題を解決するための請求項９に記載の発明は、請求項１乃至請求項８のいずれか一項に記載の入力信号取得方法を前記カラーモニタの白色点をキャリブレーションする場合、又は前記カラーモニタの階調再現特性をキャリブレーションする場合の少なくともいずれか一つに適用することを特徴とする。
【００２４】
これによれば、カラーモニタの白色点をキャリブレーションする場合、又は前記カラーモニタの階調再現特性をキャリブレーションする場合に、所定の測色値を有する色を表示するための入力信号値を精度良く取得することができる。
【００２５】
上記課題を解決するための請求項１０に記載の発明は、請求項９に記載のカラーモニタのキャリブレーション方法においてカラーモニタのキャリブレーションを行った後にプロファイルを作成するプロファイル作成工程を有することを特徴とする。
【００２６】
これによれば、入力信号値取得工程により取得された入力信号値と、実測測色値取得工程により取得された実測測色値とに基づいて、プロファイルを作成することにより、目標とする測色値を得るための入力信号値を更に精度良く求めるためのプロファイルを作成することができる。
【発明の効果】
【００２７】
本発明によれば、目標測色値と実測測色値取得工程により取得された実測測色値との測色値の差である測色値差を取得し、測色値差が所定範囲内であると判定された場合には、入力信号値取得工程により取得された入力信号値を、前記目標測色値を有する色を表示するための入力信号値として取得することによって、少ない点の測色によっても所定の測色値を有する色を表示するための入力信号値を精度良く取得することができる。
【発明を実施するための最良の形態】
【００２８】
（Ｉ）第一実施形態
以下、本発明の第一実施形態について図面を用いて説明する。
【００２９】
本実施形態は、本発明の入力信号取得システムを、三原色ＲＧＢを用いて表示を行うカラーモニタ上に所定の測色値をもつ色を表示するための入力信号値（ＲＧＢ値）を取得する際に適用する場合について説明するものである。
【００３０】
［入力信号取得システムの構成及び機能］
まず、本実施形態に係る入力信号取得システムについて、図１を用いて概念的に説明する。図１は、本発明の入力信号取得システムを示す概略図である。
【００３１】
図１に示すように、当該所定の測色値をもつ色を表示するための入力信号値（ＲＧＢ値）を取得するための入力信号取得を実行する入力信号取得システムは、三原色ＲＧＢを用いて表示を行うカラーモニタ１、カラーモニタ１上に表示された画像の測色を行う測色器２、実際に入力信号値取得処理を行うコンピュータ３、により構成されている。
【００３２】
カラーモニタ１は、後述するようにコンピュータ３に外部接続された表示装置であり、例えば、カラーＣＲＴ、カラー液晶表示装置、カラープラズマディスプレイ表示装置等、光の三原色Ｒ（赤）、Ｇ（緑）、Ｂ（青）の加法混色によって色再現を行う表示装置であればよい。
【００３３】
測色器２は、本実施形態では従来より市販されている接触型の測色器を用いる。
【００３４】
次に、図２を用いて、本実施形態にかかるコンピュータを構成する各部の構造及び機能について説明する。
【００３５】
図２は、コンピュータの概要構成を示すブロック図である。同図に示すようにコンピュータ３は、演算機能を有するＣＰＵ（Central Processing Unit）、作業用ＲＡＭ（Random Access Memory）、各種データ及びプログラムを記憶するＲＯＭ（Read Only Memory）等から構成され、最大発光測色値取得手段、中間発光測色値取得手段、入力信号値取得手段、実測測色値取得手段、測色値差取得手段、判定手段、プロファイル作成手段、目標測色値取得手段、入力信号値判定手段、入力信号値判定手段、制御手段、累積回数測定手段、累積回数判定手段、として機能する制御部１１と、記憶部１２と、外部機器接続部１３、を備えて構成されており、制御部１１、記憶部１２、及び外部機器接続部１３はバス１４を介して相互に接続されている。
【００３６】
制御部１１は、図示しないＣＰＵ、作業用ＲＡＭ、本発明の入力信号取得プログラム等を含む各種制御プログラムやデータ等を記憶するＲＯＭ及び発振回路等を備えて構成されており、図示しない操作部からの操作信号に基づいて、当該操作信号に含まれている操作情報に対応する動作を実現すべく上記各構成部材を制御するための制御情報を生成し、バス１４を介して当該制御情報を該当する構成部材に出力して当該各構成部材の動作を統轄制御する。また、制御部１１は、ＲＯＭ等に記憶された入力信号取得プログラムを実行することにより、他の構成部材と協動して本発明の最大発光測色値取得手段、中間発光測色値取得手段、入力信号値取得手段、実測測色値取得手段、測色値差取得手段、判定手段、プロファイル作成手段、目標測色値取得手段、入力信号値判定手段、入力信号値判定手段、制御手段、累積回数測定手段、累積回数判定手段、として機能するようになっている。
【００３７】
記憶部１２は、カラーモニタ１の表示部に表示すべき情報等を蓄積記憶し、必要に応じて蓄積記憶情報として制御部１１に出力する。
【００３８】
外部機器接続部１３は、コンピュータ３に内蔵されたビデオカード、及び、ＶＧＡケーブル、ＤＶＩケーブル、ＢＮＣケーブルなどを介してカラーモニタ１へ指示信号を送出するためのものである。更に、シリアル方式、ＵＳＢ方式、ＩＥＥＥ１３９４、或いはその他の適宜な方式で測色器からのデータを受信するように構成されている。
【００３９】
［入力信号取得処理］
次に、図３、図４を用いて入力信号取得処理について説明する。
【００４０】
図３は、入力信号取得処理を示すフローチャートであり、当該フローチャートにより示される処理は、制御部１１内の図示しないＲＯＭ等の制御に基づいて実行されるものである。図４は、測色値の輝度（Ｙ値）と入力信号値（ＲＧＢ値）との関係を示した図である。
【００４１】
まず、カラーモニタ上に、三原色ＲＧＢのうち各色要素のみを最大の輝度で発光させることにより表示させた画像を測色器にてそれぞれ測色し、各最大発光測色値を取得する（最大発光測色値取得工程）。また、カラーモニタ上に、三原色ＲＧＢのうち各色要素のみを最大発光と最小発光の中間の輝度で発光させることにより表示させた画像を測色器にてそれぞれ測色し、中間発光測色値を取得する（中間発光測色値取得工程）（ステップＳ１１）。
【００４２】
例えば、三原色ＲＧＢをそれぞれ０〜２５５の２５６階調（カラーモニタの使用ビット数が８ｂｉｔの場合）で表示するカラーモニタ１において、三原色（Ｒ）Ｒｅｄ、（Ｇ）Ｇｒｅｅｎ、（Ｂ）ＢｌｕｅのうちそれぞれＲＧＢを単独で最大の輝度で発光させることにより、つまり、（ＲＧＢ）＝（２５５，０，０）、（０，２５５，０）、（０，０，２５５）で発光させることにより表示させた画像を測色器２にてそれぞれ測色し、各最大発光測色値を取得する（ステップＳ１１）。同様に、Ｒ、Ｇ、ＢのうちそれぞれＲＧＢを単独で最大発光と最小発光の中間の輝度で発光させることにより、つまり、（ＲＧＢ）＝（１２８，０，０）、（０，１２８，０）、（０，０，１２８）で発光させることにより表示させた画像を測色器２にてそれぞれ測色し、各中間発光測色値を取得する（ステップＳ１２）。ここで取得した各最大発光測色値を、（ＲＧＢ）＝（２５５，０，０）のとき、（ＸＲ２５５，ＹＲ２５５，ＺＲ２５５）、（ＲＧＢ）＝（０，２５５，０）のとき、（ＸＧ２５５，ＹＧ２５５，ＺＧ２５５）、（ＲＧＢ）＝（０，０，２５５）のとき、（ＸＢ２５５，ＹＢ２５５，ＺＢ２５５）とし、各中間発光測色値を、（ＲＧＢ）＝（１２８，０，０）のとき、（ＸＲ１２８，ＹＲ１２８，ＺＲ１２８）、（ＲＧＢ）＝（０，１２８，０）のとき、（ＸＧ１２８，ＹＧ１２８，ＺＧ１２８）、（ＲＧＢ）＝（０，０，１２８）のとき、（ＸＢ１２８，ＹＢ１２８，ＺＢ１２８）と示す。
【００４３】
次に、最大発光測色値取得工程により取得された各最大発光測色値と、中間発光測色値取得工程により取得された各中間発光測色値とを用いて、目標となる測色値である目標測色値をもつ色を表示するための（に対応する）入力信号値を取得する（入力信号値取得工程）（ステップＳ１２〜１６）。
【００４４】
まず、目標となる測色値である目標測色値を任意に設定する（ステップＳ１２）。
【００４５】
ここで、任意に設定した目標測色値（ＸｉＴ，ＹｉＴ，ＺｉＴ）のＹ値を図４の[１]に示す。なお、図４は、測色値（Ｘ，Ｙ，Ｚ）のうちＹ値と入力信号値との関係について図示したものであるが、Ｘ、Ｚについても同様に図示することができる。
【００４６】
次に、Ｒ、Ｇ、Ｂのそれぞれのγ値を求める（ステップＳ１３）。
【００４７】
具体的には、取得された各最大発光測色値と各中間発光測色値のそれぞれのＹ値、ＹＲ１２８、ＹＲ２５、ＹＧ１２８、ＹＧ２５５、ＹＢ１２８、ＹＢ２５５の値と、以下の式（１）〜式（３）の式を用いてＲ、Ｇ、Ｂのγ値を求める。
【００４８】
【数１】
2008203099.tif 000003
【００４９】
【数２】
2008203099.tif 000004
【００５０】
【数３】
2008203099.tif 000005
なお、ここではγ値を求めるためにＹ値を用いたが、これに限定されることはなく、Ｙ値のかわりに、それぞれのＸ値、Ｚ値を使用しても良い。
【００５１】
ここで、図４において点線で示すグラフはγ値の理想階調再現カーブを示すグラフであり、実線で示すグラフはγ値の実際の階調再現カーブを示すグラフである。
【００５２】
次に、色変換マトリクスを求める（ステップＳ１４）。
【００５３】
具体的には、色変換マトリクスＭは、式（４）のように定義され、当該式（４）を用いて色変換マトリクスＭを求める。なお、ＲＧＢのγ値と、色変換マトリクスＭを求める順序は、どちらを先に行っても良い。
【００５４】
【数４】
2008203099.tif 000006
次に、ループカウンタの回数（ｉ）をｉ＝０に設定する（ステップＳ１５）。
【００５５】
具体的には、以下に行う動作を繰り返し行う場合があるため、ここでループカウンタ（累積回数測定手段）の回数を０に設定しておく。
【００５６】
次に、目標となる測色値である目標測色値をもつ色を表示するための入力信号値を取得する（ステップＳ１６）。
【００５７】
具体的には、任意に定めた目標測色値（ＸｉＴ，ＹｉＴ，ＺｉＴ）から入力信号値（Ｒｉ，Ｇｉ，Ｂｉ）を取得する。詳細には、上述した色変換マトリクスＭの逆行列演算を式（５）を用いて行い、その後、γ補正を式（６）を用いて行うことにより、目標測色値をもつ色を表示するための入力信号値を求めることができる。
【００５８】
図４において、目標測色値[１]をもつ色を表示するための入力信号値（Ｒｉ，Ｇｉ，Ｂｉ）を[２]に示す。
【００５９】
【数５】
2008203099.tif 000007
【００６０】
【数６】
2008203099.tif 000008
ここで、本発明を適用するためには、目標測色値がカラーモニタ１の色再現範囲内であることが望ましい。よって、次に、目標測色値がカラーモニタ１の色再現範囲内であるか否かの判定を行う。
【００６１】
具体的には、入力信号値取得工程により取得された入力信号値のうち０未満若しくは２５６以上の値があるか否かを判定する（入力信号値判定工程）（ステップＳ１７）。ここで、本実施形態において使用するカラーモニタの使用ビット数が８ｂｉｔであるため上述のように０未満若しくは２５６以上の値があるか否かを判定しているが、使用ビット数に合わせて、カラーモニタが表示できる最小値未満若しくは最大値以上の値であるか否かを判定する。
【００６２】
入力信号値（ＲＧＢ値）のうち０未満若しくは２５６以上の値があるか否かを判定した結果、０未満若しくは２５６以上の値がない場合（ステップＳ１７：ＮＯ）には、目標測色値がカラーモニタ１の色再現範囲内である（ステップＳ１８）として次の動作に移行する。詳しくは後述する。
【００６３】
一方、入力信号値（ＲＧＢ値）のうち０未満２５６以上の値があるか否かを判定した結果、０未満若しくは２５６以上の値がある場合（ステップＳ１７：ＹＥＳ）には、目標測色値がカラーモニタ１の色再現範囲外である（ステップＳ１９）として、次に、入力信号値（ＲＧＢ値）のうち０未満の値があるか否かを判定する（ステップＳ２０）。
【００６４】
入力信号値（ＲＧＢ値）のうち０未満の値があるか否かを判定した結果、０未満の値がない場合（ステップＳ２０：ＮＯ）には、次に、入力信号値（ＲＧＢ値）のうち２５６以上の値があるか否かを判定する（ステップ２１）。詳しくは後述する。
【００６５】
一方、入力信号値（ＲＧＢ値）のうち０未満の値があるか否かを判定した結果、０未満の値がある場合（ステップＳ２０：ＹＥＳ）には、彩色不足である（ステップＳ２４）として、次に、目標測色値を変更する（ステップＳ２５）。
その後、ステップＳ１６にもどり、変更した目標測色値（ＸｉＴ、ＹｉＴ、ＺｉＴ）から（Ｒｉ、Ｇｉ、Ｂｉ）を求める（ステップＳ１６）。
【００６６】
以下の動作は上述した場合と同様であるため、説明を省略する。
【００６７】
一方、入力信号値（ＲＧＢ値）のうち、２５６以上の値があるか否かを判定した結果、２５６以上の値がある場合（ステップＳ２１：ＹＥＳ）には、最大輝度不足である（ステップＳ２２）として、最大輝度を上げる（ステップＳ２３）。
【００６８】
具体的には、最大彩度が不足している場合は、カラーモニタ１の図示しない輝度調整つまみ等を調整して最大輝度を上げる。
【００６９】
次に、ステップＳ１１にもどり、カラーモニタ上に、三原色ＲＧＢのうち各色要素のみを最大の輝度で発光させることにより表示させた画像を測色器にてそれぞれ測色し、各最大発光測色値を取得する（最大発光測色値取得工程）（ステップＳ１１）。また、カラーモニタ上に、三原色ＲＧＢのうち各色要素のみを最大発光と最小発光の中間の輝度で発光させることにより表示させた画像を測色器にてそれぞれ測色し、中間発光測色値を取得する（中間発光測色値取得工程）。
【００７０】
以下の動作は上述した場合と同様であるため、説明を省略する。
【００７１】
次に、入力信号値判定工程により判定した結果、入力信号値が０未満若しくは２５６以上でないと判定された場合には、実測測色値取得工程によりカラーモニタ上に入力信号値取得工程により取得された入力信号値に基づいて表示させた画像を測色器にて測色し、実測測色値を取得する（実測測色値取得工程）（ステップＳ２６）。
【００７２】
具体的には、入力信号値（Ｒｉ、Ｇｉ、Ｂｉ）に基づいてカラーモニタに画像を表示させ、測色器２にて画像を測色し、実測測色値（ＸｉＭ、ＹｉＭ、ＺｉＭ）を取得する。図４において、実測測色値（ＸｉＭ、ＹｉＭ、ＺｉＭ）のＹｉＭ値を[３]に示す。
【００７３】
次に、目標測色値と実測測色値取得工程により取得された実測測色値の差を取得する（測色値差取得工程）（ステップＳ２７）。
【００７４】
具体的には、目標測色値と実測測色値取得工程により取得された測色値の差である測色値差（ΔＸｉ、ΔＹｉ、ΔＺｉ）を式（７）を用いて求める。図４においては、目標測色値ＹｉＴ[１]と実測測色値ＹｉＭ[３]の差である測色値差ΔＹｉ[４]を求める。
【００７５】
【数７】
2008203099.tif 000009
ここで、実際のカラーモニタでは、理想階調再現カーブとは異なる形状の階調再現カーブを持っている場合があり、上述するΔＸｉ、ΔＹｉ、ΔＺｉは理想階調再現カーブと実際の階調再現カーブとのずれを示すものである。
【００７６】
測色値差としては、ＣＩＥＬＡＢ空間での色差ΔＥなどを使用する。例えばΔＥは、目標測色値、実測測色値のそれぞれのＸＹＺ値からＬａｂ値を計算して求めることができる。
【００７７】
次に、目標測色値と測色値差取得工程により取得された測色値差が所定範囲内であるか否かを判定する（判定工程）（ステップＳ２８）。
【００７８】
具体的には、測色値差が、例えば０．５以内であれば所定範囲内であると判定する。
【００７９】
次に、判定工程により判定された結果、測色値差が所定範囲内である場合（ステップＳ２８：ＹＥＳ）には、入力信号値取得工程により取得された入力信号値と、実測測色値取得工程により取得された実測測色値とに基づいて所定の測色値を持つ色を表示するための入力信号値を取得する（入力信号取得工程）。
【００８０】
これにより、目標とする測色値を持つ色を表示するための入力信号値を精度良く求めることができる。
【００８１】
次に、上述の工程を経ることにより取得された入力信号値と、実測測色値とに基づいてプロファイル作成する（プロファイル作成工程）（ステップＳ２９）。
【００８２】
これにより、目標とする測色値を持つ色を表示するための入力信号値を精度良く求めることができるプロファイルを作成することができる。
【００８３】
一方、判定工程により判定された結果、測色値差が所定範囲内でない場合（ステップＳ２８：ＮＯ）には、ループカウンタの回数ｉ＞ｉＭａｘであるか否かを判定する（累積回数判定工程）（ステップＳ３１）。
【００８４】
ここで、ループカウンタの回数であるｉＭａｘは、ループカウンタの回数の最大値である。例えば、ループカウンタの回数であるｉＭａｘの値をＮ回（Ｎは２以上の整数）と設定しておき、ループカウンタの回数ｉがｉＭａｘ（Ｎ回）を超えているか否かを判定する。
【００８５】
ループカウンタの回数ｉ＜ｉＭａｘであるか否かを判定した結果、ｉ＞ｉＭａｘであると判定された場合（ステップＳ３１：ＹＥＳ）には、入力信号値取得工程により取得された入力信号値と、実測測色値取得工程により取得された実測測色値とに基づいてプロファイルを作成する（プロファイル作成工程）（ステップＳ２９）。
【００８６】
一方、ループカウンタの回数ｉ＞ｉＭａｘであるか否かを判定した結果、ｉ＞ｉＭａｘでないと判定された場合（ステップＳ３１：ＮＯ）には、目標測色値と測色値差から新たな目標測色値を求める（目標測色値取得工程）（ステップＳ３２）。
【００８７】
具体的には、式（８）を用いることにより新たな目標測色値を求める。
【００８８】
【数８】
2008203099.tif 000010
図４においては、目標測色値ＹｉＴ[１]から測色値差ΔＹｉ[４]を加算することによって新たな目標測色値Ｙ（ｉ＋１）Ｔ[５]を求める。なお、新たな目標測色値Ｙ（ｉ＋１）Ｔ[５]は、目標測色値ＹｉＴ[１]とは異なる値である。
【００８９】
次に、ループカウンタ回数ｉに１を加算する（ステップＳ３３）。
【００９０】
次に、ステップＳ１６にもどり、目標測色値（第二目標測色値）（Ｘ（ｉ＋１）Ｔ、Ｙ（ｉ＋１）Ｔ、Ｚ（ｉ＋１）Ｔ）から入力信号値（Ｒ（ｉ＋１）、Ｇ（ｉ＋１）、Ｂ（ｉ＋１））を求める（ステップＳ１６）。
【００９１】
図４において、目標測色値（第二目標測色値）[５]をもつ色を表示するための入力信号値（Ｒ（ｉ＋１）、Ｇ（ｉ＋１）、Ｂ（ｉ＋１））を[６]に示す。
【００９２】
以下の動作は上述した場合と同様であるが、目標測色値（第一目標測色値[１]）と実測測色値（第二実測測色値[７]）の差（第二測色値差）が所定範囲内になるように動作が続けられる（ステップＳ１６〜ステップＳ３３）（制御手段）。上記動作が繰り返された結果、測色値差（第二測色値差）が所定範囲内であると判定された場合には、上記動作によって得られた第二入力信号値[６]を、目標測色値（第一目標測色値）を有する色を表示するための入力測色値として取得する。なお、上記動作がＮ回続けられ、目標測色値（第一目標測色値）と実測測色値（第Ｎ実測測色値）の差（第Ｎ測色値差）が所定範囲内になるように動作が続けられた結果、測色値差（第Ｎ測色値差）が所定範囲内であると判定された場合には、上記動作によって得られた第Ｎ入力信号値を、目標測色値（第一目標測色値）を有する色を表示するための入力測色値として取得する。これにより、所定の測色値を持つ色を表示するための入力信号値を精度良く求めることができる。
【００９３】
なお、ループカウンタの最大数であるｉＭａｘの値をＮ回（Ｎは２以上の整数）と設定しておき、ループカウンタの回数ｉがｉＭａｘ（Ｎ回）を超えた場合（ステップＳ３１：ＹＥＳ）には、新たに目標測色値を取得することなくこれまでに取得された入力信号値と実測測色値に基づいて所定の測色値を持つ色を表示するための入力信号値を取得してもよい。
【００９４】
（ＩＩ）第二実施形態
以下、本発明の第二実施形態について図面を用いて説明する。
【００９５】
上述した第一実施形態は、本発明の入力信号取得システムを、三原色ＲＧＢを用いて表示を行うカラーモニタ上に所定の測色値をもつ色を表示するための入力信号値（ＲＧＢ値）を取得する際に適用する場合について説明したが、第二実施形態においては、本発明の入力信号取得システムを、印刷装置（プリンタ）を用いてＣｙａｎ、Ｍａｇｅｎｔａ、Ｙｅｌｌｏｗの３色のインキを塗布することにより表示を行う媒体上に所定の測色値をもつ色を表示するための入力信号値（ＲＧＢ値）を取得する際に適用する場合について説明する。
【００９６】
図５は、本発明の入力信号取得システムを示す概略図である。
【００９７】
この場合、第一実施形態において説明した入力信号値取得処理において用いたＲｅｄ、Ｇｒｅｅｎ、ＢｌｕｅのかわりにＣｙａｎ、Ｍａｇｅｎｔａ、Ｙｅｌｌｏｗを、又、輝度（Ｘ、Ｙ、Ｚ）のかわりに色濃度（ＤＣ、ＤＭ、ＤＹ）の値を用いて処理を行うことによって、印刷装置（プリンタ）を用いてＣｙａｎ、Ｍａｇｅｎｔａ、Ｙｅｌｌｏｗの３色のインキを塗布することにより表示を行う媒体上に所定の色濃度をもつ色を表示するための入力信号値（ＲＧＢ値）を取得することができる。ここで、プリンタの色濃度は、ISO 5-3:1995、Photobgaphy -Density measurements -Part 3: Spectral conditionsで定義されているISO Status Tの分光特性を用いて、ISO 5-1:1984  Photobgaphy -Density measurements -Part 1: Terms, symbols and notationsに記述された手法を用いて計算する。このとき，DCはRed，DMはGreen，DYはBlueのスペクトルを使用して計算する。
このような手法により求めた色濃度を用いて本発明をプリンタに適用することができる。
【実施例】
【００９８】
次に、本願の発明について、以下の実施例にて説明する。
【００９９】
まず、三原色ＲＧＢをそれぞれ０〜２５５の２５６階調（使用ビット数が８ｂｉｔ）で表示するカラーモニタ（SHARP LL-T19D1B）を用いて、三原色ＲＧＢのうちそれぞれＲＧＢを単独で最大の輝度で発光させることにより、つまり、（ＲＧＢ）＝（２５５，０，０）、（０，２５５，０）、（０，０，２５５）で発光させることにより表示させた画像を測色器(GretagMacbeth社製Eye-One Monitor)にてそれぞれ測色し、各最大発光測色値を取得した。
【０１００】
同様に、Ｒ、Ｇ、ＢのうちそれぞれＲＧＢを単独で最大発光と最小発光の中間の輝度で発光させることにより、つまり、（ＲＧＢ）＝（１２８，０，０）、（０，１２８，０）、（０，０，１２８）で発光させることにより表示させた画像を測色器２にてそれぞれ測色し、各中間発光測色値を取得した。
【０１０１】
次に、目標となる測色値である目標測色値（76.90,78.77,43.00）を設定した。
【０１０２】
次に、取得された各最大発光測色値と各中間発光測色値のそれぞれのＹ値、ＹＲ１２８、ＹＲ２５、ＹＧ１２８、ＹＧ２５５、ＹＢ１２８、ＹＢ２５５の値と、以下の式（１）〜式（３）の式を用いてＲ、Ｇ、Ｂのγ値を求めた。
【０１０３】
【数９】
2008203099.tif 000011
【０１０４】
【数１０】
2008203099.tif 000012
【０１０５】
【数１１】
2008203099.tif 000013
次に、式（４）を用いて色変換マトリクスＭを求めた。
【０１０６】
【数１２】
2008203099.tif 000014
次に、色変換マトリクスＭの逆行列演算を式（５）を用いて行い、その後、γ補正を式（６）を用いて行うことにより、目標測色値をもつ色を表示するための入力信号値を求めた。
【０１０７】
【数１３】
2008203099.tif 000015
【０１０８】
【数１４】
2008203099.tif 000016
次に、入力信号値に基づいてカラーモニタに画像を表示させ、測色器にて画像を測色し、実測測色値（77.06,78.97,42.92）、Ｌａｂ値（91.22,1.86,24.01）を取得した。
【０１０９】
次に、目標測色値と実測測色値の差である測色値差（ΔＸ、ΔＹ、ΔＺ）を式（７）を用いて求めた。
【０１１０】
【数１５】
2008203099.tif 000017
ここで、本発明と従来手法をそれぞれ１０回行うことにより求めたΔＥの値を表１に示した。なお、本発明においては１回の実験ごとにΔＥが許容範囲内（例えば、０．５以下）となるように、繰り返しの回数を５回以内として得られたΔＥの値を示している。
【０１１１】
【表１】
2008203099.tif 000018
その結果、従来手法の場合と比べて、本発明は１〜１０回の実験全てにおいてΔＥが０．５未満であったため、目標とする測色値を持つ色を表示するための入力信号値を精度良く求めることができた。更に、従来手法において求めた場合のΔＥ（7.77）と本発明において求めた場合のΔＥ（0.33）を比較すると、23.8倍も良い精度のΔＥが得られた。
【０１１２】
なお、表２〜表６は、同様の実験をカラーモニタの種類に応じてそれぞれ行った場合の結果を示すものである。
【０１１３】
【表２】
2008203099.tif 000019
【０１１４】
【表３】
2008203099.tif 000020
【０１１５】
【表４】
2008203099.tif 000021
【０１１６】
【表５】
2008203099.tif 000022
【０１１７】
【表６】
2008203099.tif 000023
その結果、表１を用いて上述したものとほぼ同様の結果が得られた。
【０１１８】
よって、本発明を適用することによって、少ない点の測色によっても所定の測色値を有する色を表示するための入力信号値を精度良く取得することができることがわかった。
【図面の簡単な説明】
【０１１９】
【図１】本発明の入力信号取得システムを示す概略図である。
【図２】コンピュータの概略構成を示すブロック図である。
【図３】本発明の入力信号取得処理を示すフローチャートである。
【図４】測色値の輝度と入力信号値との関係を示した図である。
【図５】本発明の入力信号取得システムを示す概略図である。
【符号の説明】
【０１２０】
１・・・カラーモニタ
２、２２・・・測色器
３、２３・・・コンピュータ
１１・・・制御部
１２・・・記憶部
１３・・・外部機器接続部
１４・・・バス
２１・・・プリンタ
２４・・・紙
【図１】
2008203099.tif 000024
【図２】
2008203099.tif 000025
【図３】
2008203099.tif 000026
【図４】
2008203099.tif 000027
【図５】
2008203099.tif 000028